(57)【要約】      （修正有）【課題】浮子本体又はルアー本体に容易に組み込むことができ、しかも集魚効果を高めるための構成を簡単なものとした魚釣り装置を提供する。【解決手段】集魚装置本体１は、加振及び加音する偏心マスつきモータ３と電流を供給する太陽電池２とを有する。偏心マスつきモータ３の回転軸が回転することによってモータ４が振動し加振及び加音する。この集魚装置本体１を組み込んだ浮子本体１１又はルアー本体を直接的に加振及び加音することにより、如何にも水面に落ちた昆虫や水面を逃げ惑う小魚の群れ（なぶら）のように見せることができるので、魚の興味を引くことができ、容易に集魚作用を発揮させることができる。【選択図】図２
2019154391.tif 000002
【特許請求の範囲】
【請求項１】
釣り糸に取付可能に設けられた浮子本体又はルアー本体に組み込むことができる集魚装置であって電流を供給する電源手段と、前記電源手段からの電流により動力を生成する動力生成手段と、前記動力生成手段によって生成した動力に基づいて前記浮子本体又はルアー本体を直接的に加振及び加音させる加振及び加音手段とを備える集魚装置。
【請求項２】
前記加振及び加音手段は、電源手段からの電流によって偏心マスを回転させ、モータ自身が振動することにより集魚装置本体を加振及び加音する偏心マスつきモータであることを特徴とする、請求項１記載の集魚装置。  
【請求項３】
箱状体として形成され、上記加振及び加音手段が収納されており前記浮子本体又はルアー本体は浮力を有する、請求項１又は請求項２記載の集魚装置。        
【発明の詳細な説明】
【技術分野】
【０００１】
本発明は、魚釣りをする際に使用する電動式集魚装置に関する。
【背景技術】
【０００２】
一般に、魚釣りは、いかに集魚効果を高める工夫を施すかにより釣果に差が出ることが多い。このため、従来、ルアーのラトル（ガラガラ音をたてる金属球）や、水中に沈められた釣餌を水中で停止ないし潮流に浮遊されているだけでなく釣竿を振動させることで如何にも釣餌自体が生きているかのように見せることなどにより、魚を惑わせ興味を引くことで集魚効果を高めていた。
【０００３】
しかしながら、ルアー釣りや餌釣は上記されるような魚の習慣を考慮し、ルアーのラトル音や釣餌の振動は釣竿を微妙に動かしたり、リールを巻くなど常に行わなければならず、集魚効果を維持し続けることは至難の業であるという問題があった。
【０００４】
そこで、本発明は上記の問題点に鑑みて成されたもので、浮子本体又はルアー本体に簡単に組み込むことができる集魚装置で電流を供給する電源手段と偏心マスつきモータを有することにより直接的に浮子本体又はルアー本体を加振及び加音させることができる魚釣り装置を提案した。
【０００５】
すなわち、この魚釣り装置は小型化した集魚装置を浮子本体又はルアー本体内に組み込む
ことにより、加振及び加音し、浮子本体又はルアー本体を如何にも水面に落ちた昆虫や水面を逃げ惑う小魚の群れ（なぶら）のように、生きて動いているものに見せることで。魚を感わせ興味を引き、より集魚効果を高めることができる電動式集魚装置を提供することを目的とする。
【発明の概要】
【発明が解決しようとする課題】
【０００６】
上記従来の魚釣りにおいては、魚の習性を理解した上で如何にも本当の昆虫や小魚に見せるためにはかなりの熟練が必要である。
【０００７】
また、上記魚釣りにおいては、釣竿を微妙に動かしたり、リールを巻くなど常に行わなければならず、一定の場所で集魚効果を維持し続けることは困難であるという問題があった。
【０００８】
本発明は、上記従来の問題点に鑑みて成されたものであり、小型の集魚装置本体を浮子本体又はルアー本体に装着することができ、常に集魚作用を発揮させることができる魚釣り装置を提供することを目的とする。
【課題を解決するための手段】
【０００９】
上記目的を達成するためには、請求項１記載の発明は魚釣りで用いられてる浮子本体又はルアー本体に組み込むことができる小型の集魚装置であって、集魚装置は電流を供給する電源手段と、電源手段からの電流により動力を生成する動力生成手段からなり、動力生成手段により生成された動力で加振手段を有し、加振手段による振動により、加音させることを特徴とする魚釣り装置である。
【００１０】
請求項２記載の発明は、上記請求項１の魚釣り装置において、上記加振及び加音手段は動力によって重量体(偏心マス)を回転させることにより集魚装置本体を加振及び加音する偏心マスつきモータと電流を供給する電源電地であることを特徴とするものである。
【００１１】
請求項３記載の発明は、請求項１又は請求項２記載の魚釣り装置において、上記集魚装置本体は箱状体として形成され集魚装置本体内に上記加振及び加音手段が収納されていることを特徴とするものである、上記構成によれば、加振及び加音手段が外部の衝撃等から保護され、さらに耐水性が向上する、しかも浮力を有する浮子本体又はルアー本体に組む込む場合も簡単に装着することができる。
【発明の効果】
【００１２】
以上の説明より明らかなように、本発明の電動式集魚装置によれば該集魚装置本体は加振及び加音する手段とを有するために、太陽電池からの電流を給電コードによって、偏心マスつきモータに流すことにより、モータ自身が振動することで集魚装置本体を加振及び加音させることができる。この集魚装置本体を組み込んだ浮子本体又はルアー本体は直接的に加振及び加音することで、簡単な構成で集魚作用に優れた魚釣装置を提供することができる。
【図面の簡単な説明】
【００１３】
【図１】本体発明の一実施形態に係る魚釣り装置の集魚装置本体を示す縦断面図である。
【図２】同魚釣り装置の集魚装置つき浮子を示す縦断面図である。
【図３】同魚釣り装置の集魚装置つき浮子を示す斜視図である。
【図４】同魚釣り装置の集魚装置つきルアーを示す斜視図である。
【発明を実施するための形態】
【００１４】
図１は、本実施形態に係る魚釣り装置の集魚装置本体１を示す縦断面図である。  図２は、浮子本体１１に集魚装置本体１を組み込んだ集魚装置つき浮子１５を示す縦断面図である。図３は、この集魚装置つき浮子１５を示す斜視図である。また、図４は、ルアー本体１２に集魚装置本体１を組み込んだ集魚装置つきルアー１６を示す斜視図である。
【００１５】
本実施形態の集魚装置本体１が組み込まれる浮子本体１１とルアー本体１２は、図３と図４に示すように、糸取り付け金具１３を有し、釣糸が取り付けられる共に、図４に示すルアー本体１２には針取り付け金具１４を有し、釣針が取り付けられる。なを、集魚装置本体１が組み込まれる浮子本体１１又はルアー本体１２はこの浮子本体１１又はルアー本体１２に限定されるものではないとことは言うまでもない。
【００１６】
図１ないし図２に示すように、魚釣り装置は箱状に形成された集魚装置本体１と集魚装置本体1を組み込むための浮子本体１１又はルアー本体１２とを主要構成部材としてなり、上記集魚装置本体１の内部には加振手段及び加音手段として偏心マスつきモータ３と太陽電池２が組み込まれている。
【００１７】
集魚装置ケース部材７は、硬質合成脂から製作され、周囲部に突出するフランジ部１４を有し、フランジ部１４上端面に太陽電池２が当接されるものとなされている。
【００１８】
この集魚装置本体１に組み込まれた偏心マスつきモータ３は、浮子本体１１又は、ルアー本体１２を振動させて、直接的に加振及び加音させるものであり図１及び図２に示すようにモータ本体４とその回転軸の先端に偏心して取り付けられる適当な重さの重量体（偏心マス）５と、モータ本体４を衝撃から保護するために硬質合成樹脂から製作されるモータケース９とから構成される、上記偏心マスつきモータ３に接続された給電コード６は太陽電池２に接続されるものとなされている。
【００１９】
偏心マスつきモータ３はモーターケース９で保護されており、集魚装置ケース部材７とは固定されていない。このことにより集魚装置ケース部材７の内周面に振動した偏心マスつきモータ３が接触し干渉しあうことで加音させるものである。また、本実施形態では、偏心マスつきモータ３を固定していないが、集魚装置ケース部材７に固定してラトル等を設けて加音されるものであってもよい。
【００２０】
上記偏心マスつきモータ３までの電源は給電コード６を配設し、太陽電池２の電源部に接続するものである。また、本実施形態では、電源部は太陽電池２を取り付けているが電源部に電池等を設けて電源とするものであってもよい。
【００２１】
そして、図２に示すように、集魚装置本体１を浮子本体１１又はルアー本体１２に対して太陽電池２が上端部になるように位置を決め接着して強固に固定する。
【００２２】
次に、上記のように構成した魚釣装置の集魚装置つき浮子１５及び集魚装置つきルアー１６の使用方法について説明する。
【００２３】
この魚釣装置の操作は太陽電池２が水面上に出ている状態の際、太陽光が直接当たるようにすることで、変換された電気が給電コード６を介して偏心マスつきモータ３を駆動する。
【００２４】
そして、駆動した偏心マスつきモータ３の回転軸を介して重量体５が回転し、重量体５の振りまわり運動によってモータ本体４自身が振動する。この振動によりモータケース９で保護された偏心マスつきモータ３が集魚ケース部材７に接触し干渉しあうことで集魚装置本体１を加振及び加音する。この結果、集魚装置本体１を組み込んだ浮子本体１１又はルアー本体１２を直接的に加振及び加音することができる。
【００２５】
上記の結果、浮子本体１１又はルアー本体１２が加振及び加音されることで振動波及びラトル音を有することになり魚に存在を速やかに知らせ、集魚作用を発揮せせることができる。また、振動波及びラトル音によって如何にも、水面に落ちた昆虫や水面を逃げ惑う小魚の群れのように、魚の食欲をそそることとなる。
【００２６】
すなわち、この実施形態に係る魚釣装置によれば、偏心マスつきモータ３と給電コード６及び太陽電池２が集魚装置本体１に組み込まれ、さらに、集魚装置本体１を浮子本体１又はルアー本体１２に組み込むことができる。しかも、太陽電池２によって太陽エネルギーを電気エネルギーに変換して偏心マスつきモータ３を駆動しているので、従来の魚釣り装置のようなスイッチも必要がなく、電池が切れることもないので、電池を交換する手間も必要が無い。
【００２７】
さらに、本実施形態の魚釣装置は偏心マスつきモータ３が箱状の集魚装置本体１に組み
込まれてるが、上記のようにスイッチもなく電池の交換も必要ないので、上記モータ３は浸水防止の観点からも集魚装置本体１に完全に保護され、耐久性も向上している。
【００２８】
なお、以上に本実施形態に係る魚釣装置について説明したが、この発明に係る魚釣装置は、上記実施形態に限定されるものではなく、その趣旨を逸脱しない範囲で種々の変更が可能である。例えば以下のような変更が可能である。
【００２９】
上記実施形態では、加振手段として偏心マスつきモータを採用したが、その他ソレノイド等を採用するものであってもよい。
【００３０】
上記実施形態では、電源部には太陽電池を取り付けたものを採用したが、蓄電池等を採用して太陽電池から得た電気を蓄え、必要に応じて使用するものであってもよい。
【００３１】
上記実施形態では、電源スイッチを取付けていないが、電源スイッチを内部及び外部に設けているものであってもよい。
【００３２】
集魚装置本体を組み込む浮子本体又はルアー本体も上記実施形態のものに限られずその他の形状及び構造を採用することができる。
【００３３】
また、上記実施形態では、集魚装置本体を組み込むものとして浮子本体又はルアー本体を採用したが、その他の釣竿や釣糸又は釣針等に取付けたものを採用することができる。
【符号の説明】
【００３４】
１  集魚装置本体
２  太陽電池
３  偏心マスつきモータ
４  モータ
５  重量体（偏心マス）
６  給電コード  
７  集魚装置ケース部材
８  半田付け部  
９  モーターケース                                                    
１０  フランジ部
１１  浮子本体
１２  ルアー本体
１３  糸付け金具                                                    
１４  針付け金具
１５  集魚装置つき浮子
１６  集魚装置つきルアー
【図１】
2019154391.tif 000003
【図２】
2019154391.tif 000004
【図３】
2019154391.tif 000005
【図４】
2019154391.tif 000006
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
釣り糸に取付可能に設けられた浮子本体又はルアー本体に組み込むことができる集魚装置であって電流を供給する電源手段と、前記電源手段から電流により動力を生成する動力生成手段と前記動力生成手段によって生成した動力に基づいて前記浮子本体又はルアー本体を直接的に加振及び加音させる加振及び加音手段とを備え、箱状体として形成され、上記加振及び加音手段は偏心マスつきモータが集魚装置ケース部材とは固定されず収納されており前記浮子本体又はルアー本体は浮力を有する、集魚装置。
【請求項２】
前記加振及び加音手段は、電源手段からの電流によって偏心マスを回転させ、モータ自身が振動することにより集魚装置本体を加振及び加音する偏心マスつきモータであることを特徴とする、請求項１記載の集魚装置
【手続補正２】
【補正対象書類名】明細書
【補正対象項目名】００１１
【補正方法】変更
【補正の内容】
【００１１】
請求項１又は請求項２記載の魚釣り装置において、上記集魚装置本体は箱状体として形成され集魚装置本体内に上記加振及び加音手段が収納されていることを特徴とするものである、上記構成によれば、加振及び加音手段が外部の衝撃等から保護され、さらに耐水性が向上する、しかも浮力を有する浮子本体又はルアー本体に組む込む場合も簡単に装着することができる。